(57)【要約】【課題】給湯器のケースに付設される給湯器取付部材の第１部材に形成した係止部に第２部材の端部に形成した係合部を目視することなく容易に係合可能にした給湯器を提供すること。【解決手段】給湯器の機器類を収納する箱状のケース(4) と、前記ケース(4) の外周側壁面に付設される給湯器取付部材(5) とを備え、前記給湯器取付部材(5) は、前記ケース(4) の第１壁面(8) に取付けられる第１部材(21)と、前記第１部材(21)と係合される第２部材(22)とを備え、前記第２部材(22)は係合部(28)を備え、前記第１部材(21)は、前記係合部(28)と係合する係止部(27)と、前記係合部(28)と前記係止部(21)を係合させる際にガイドとなるガイド部(26)とを備えている。【選択図】図８
2018080893.tif 000002
【特許請求の範囲】
【請求項１】
給湯器の機器類を収納する箱状のケースと、
前記ケースの外周側壁面に付設される給湯器取付部材とを備え、
前記給湯器取付部材は、前記ケースの第１壁面に取付けられる第１部材と、前記第１部材と係合される第２部材とを備え、
前記第２部材は、係合部を備え、
前記第１部材は、前記係合部と係合する係止部と、前記係合部と前記係止部を係合させる際にガイドとなるガイド部とを備えていることを特徴とする給湯器。
【請求項２】
前記第１部材は、前記ガイド部が端部に形成された主板部と、この主板部の内端部から折曲されて前記第１壁面に取付けられる取付板部とを備え、
前記ガイド部は、前記第１壁面から前記ケース外側方向に離隔した位置に形成されて、前記主板部から前記取付板部と同じ側へ起立しており、
前記取付板部には、前記ガイド部から所定距離おいて前記係止部が形成されていることを特徴とする請求項１に記載の給湯器。
【請求項３】
前記第２部材は、前記第１壁面に連なる第２壁面に当接される当接板部と、この当接板部の端部から折曲されて形成されている係合板部とを備え、
前記係合板部には、前記係合部と前記係止部を係合させる際に前記係止部を通過させる第１の切欠部と、前記係合部とが形成されていることを特徴とする請求項１又は２に記載の給湯器。
【請求項４】
前記ケースはその一端部から外側へ延びるフランジ部を備え、
前記当接板部には、前記第２部材を前記係合部と前記係止部を係合させる際に前記フランジ部の段差部を通過させる第２の切欠部が形成されていることを特徴とする請求項１〜３の何れか１項に記載の給湯器。
【請求項５】
前記第２部材は、前記当接板部から外側へ折曲した鍔状板部を備え、
前記フランジ部と前記ガイド部間の隙間は、前記鍔状板部の幅よりも大きく設定されたことを特徴とする請求項４に記載の給湯器。
【発明の詳細な説明】
【技術分野】
【０００１】
本発明は、給湯器に関し、特に給湯器を外部の支持部材に取付ける為の給湯器取付部材を給湯器ケースに容易かつ能率的に組付け可能にしたものに関する。
【背景技術】
【０００２】
給湯器をパイプシャフト等に開口する開口部に設けた矩形状枠部材等に取付ける構造として、通常、給湯器のケースの外周側壁面の前端近傍部に枠状の給湯器取付部材を固定し、その給湯器取付部材を矩形状枠部材等に複数のビスやボルトにより固定する構造が採用されている。
【０００３】
例えば、特許文献１に記載のガス給湯機の取付け構造においては、パイプシャフトに開口する開口部に本体固定用金枠が固定され、給湯器のケースの外周側壁面の前端近傍部に枠状の固定枠取付フランジが溶接等で取付けられ、給湯器を本体固定用金枠に挿入後、固定枠取付フランジを本体固定用金枠に複数のビスで固定している。尚、ケースの前端部には、サービスカバー取付用フランジが形成され、このサービスカバー取付用フランジにサービスカバーが複数のビスで固定される。
【０００４】
従来、前記ケースはメッキ鋼板等で製作され、給湯器取付部材はケースの外周側壁面の前端近傍部にスポット溶接等で接合され、その溶接後にケース及び給湯器取付部材に塗装を施していた。この構造では、ケースと給湯器取付部材の間に殆ど隙間が発生しないため、雨水が給湯器の内部へ侵入しにくくなっていた。尚、給湯器取付部材は、ケースの４面に対応する４部材で枠状に形成される。
【先行技術文献】
【特許文献】
【０００５】
【特許文献１】実開昭６０−７７９６３号公報
【発明の概要】
【発明が解決しようとする課題】
【０００６】
特許文献１のガス給湯機の取付け構造においては、給湯器のケースに枠状の固定枠取付フランジが溶接等で取付ける構造であるため、ケースをカラー鋼板で製作できないという問題がある。
最近、ケースをカラー鋼板で製作するようになると、前記ケースに給湯器取付部材を構成する４部材をスポット溶接ではなく、複数のビスで固定することになる。この場合、給湯器の組み立てライン上に９０°回転させて寝かせた状態のケースの４つの壁面に給湯器取付部材の４部材をビスにて取付ける。この場合、作業者側から視て手前側と反対側（反手前側）のビス穴は作業者が目視できない位置にあるため、手さぐり状態でビス固定することになる。
【０００７】
そこで、反手前側ではビス固定部位を最小限にし、その他の部位はビス固定に代えて係合部を係止部に係合させる連結構造にしたいという要請がある。しかも、係合部を係合させる際に、目視することなく能率的に確実に係合させ得る構造が特に望ましい。
【０００８】
本発明の目的は、給湯器取付部材の第１部材に形成した係止部に第２部材の端部に形成した係合部を目視することなく容易に係合可能にした給湯器を提供することである。
【課題を解決するための手段】
【０００９】
請求項１の給湯器は、給湯器の機器類を収納する箱状のケースと、前記ケースの外周側壁面に付設される給湯器取付部材とを備え、前記給湯器取付部材は、前記ケースの第１壁面に取付けられる第１部材と、前記第１部材と係合される第２部材とを備え、前記第２部材は、係合部を備え、前記第１部材は、前記係合部と係合する係止部と、前記係合部と前記係止部を係合させる際にガイドとなるガイド部とを備えていることを特徴としている。
【００１０】
請求項２の給湯器は、請求項１の発明において、前記第１部材は、前記ガイド部が端部に形成された主板部と、この主板部の内端部から折曲されて前記第１壁面に取付けられる取付板部とを備え、前記ガイド部は、前記第１壁面から前記ケース外側方向に離隔した位置に形成されて、前記主板部から前記取付板部と同じ側へ起立しており、前記取付板部には、前記ガイド部から所定距離おいて前記係止部が形成されていることを特徴としている。
【００１１】
請求項３の給湯器は、請求項１又は２の発明において、前記第２部材は、前記第１壁面に連なる第２壁面に当接される当接板部と、この当接板部の端部から折曲されて形成されている係合板部とを備え、前記係合板部には、前記係合部と前記係止部を係合させる際に前記係止部を通過させる第１の切欠部と、前記係合部とが形成されていることを特徴としている。
【００１２】
請求項４の給湯器は、請求項１〜３の何れか１項の発明において、前記ケースはその一端部から外側へ延びるフランジ部を備え、前記当接板部には、前記係合部と前記係止部を係合させる際に前記フランジ部の段差部を通過させる第２の切欠部が形成されていることを特徴としている。
【００１３】
請求項５の給湯器は、請求項４の発明において、前記第２部材は、前記当接板部から外側へ折曲した鍔状板部を備え、前記フランジ部と前記ガイド部間の隙間は、前記鍔状板部の幅よりも大きく設定されたことを特徴としている。
【発明の効果】
【００１４】
請求項１の発明によれば、給湯器取付部材は、箱状のケースの第１壁面に取付けられる第１部材とこの第１部材に係合する第２部材とを備え、第２部材は係合部を備え、第１部材は、前記係合部と係合する係止部と、前記係合部と前記係止部を係合させる際にガイドとなるガイド部とを備えているため、第１部材の取付け後に、前記係合部と前記係止部を係合させて第２部材を取付ける際に、ガイド部で第２部材をガイドしながら、目視することなく係合部を係止部に係合させることができるから、第２部材の取付けを容易に能率的に行うことができる。
また、係合部を係止部に係合させる構造としたので、ビス止めが不要となり、目視しにくい部位でのビス止めの作業を省略することができる。
【００１５】
請求項２の発明によれば、第１部材が前記ガイド部が端部に形成された主板部とこの主板部の内端部から折曲されて前記第１壁面に取付けられる取付板部とを備え、主板部の端部にガイド部が形成され、取付板部が第１壁面に取付けられ、ガイド部は第１壁面からケース外側方向へ離隔した位置に形成されて主板部から取付板部と同じ側へ起立しており、前記取付板部には前記ガイド部から所定距離おいて前記係止部が形成されているため、第１部材の取付け後に第２部材を取付ける際に、第２部材の係合部側の端部側部分をガイド部に当接させて第２部材を回動させつつ係合部を係止部に接近させると、この両者が係合状態になり、第２部材を取付けることができる。
【００１６】
請求項３の発明によれば、第２部材は、前記第１壁面に連なる第２壁面に当接される当接板部と、この当接板部の端部から折曲されて形成されている係合板部とを備え、係合板部には前記係合部と前記係止部を係合させる際に前記係止部を通過させる第１の切欠部が形成されているため、第２部材を回動させていくと、係止部が第１の切欠部を通過し、前記係合部が係止部に係合状態になる。
【００１７】
請求項４の発明によれば、前記ケースはフランジ部を備え、第２部材の当接板部には、第２部材を前記係合部を前記係止部に係合させる際に前記フランジ部の段差部を通過させる第２の切欠部を形成したので、前記当接板部が前記フランジ部の段差部と緩衝することなく円滑に回動可能である。
【００１８】
請求項５の発明によれば、第２部材は当接板部から外側へ折曲した鍔状板部を備え、ケースの前記フランジ部とガイド部間の隙間は鍔状板部の幅よりも大きく設定してあるため、第２部材を上記の隙間からガイド部の内側へ導入してガイド部でガイドしながら回動させることができる。
【図面の簡単な説明】
【００１９】
【図１】本発明の実施例に係る給湯器のケースと扉内ケースと金枠の分解斜視図である。
【図２】ケースの斜視図である。
【図３】ケースの平面図である。
【図４】ケースの底面図である。
【図５】ケースの要部の右側面図である。
【図６】ケースの要部の正面図である。
【図７】第２部材を取付ける途中状態を示す要部斜視図である。
【図８】ケースの要部（右上角部）の斜視図である。
【図９】ケースの要部（右下角部）の斜視図である。
【発明を実施するための形態】
【００２０】
本発明を実施するための形態について実施例に基づいて説明する。
【実施例】
【００２１】
図１に示すように、給湯器１は、マンション等のパイプシャフトの側壁に形成された開口に取付けられた金枠２に嵌入状に固定される矩形枠状の扉内ケース３に内嵌状態に装着される。扉内ケース３の前端部の取付け用フランジ３ａが金枠２に複数のビスで固定される。給湯器１はケース４の前端近傍部に取付けられた矩形枠状の給湯器取付部材５を有し、この給湯器取付部材５を扉内ケース３の奥端部の給湯器取付フランジ３ｂに取付けることで給湯器１が扉内ケース３に固定される。給湯器１のフロントカバー６は、そのフランジ６ａをケース４の前端のフランジ部１１に複数のビスで固定することで取付けられる。
【００２２】
図２〜図４に示すように、給湯器１は、直方体箱状のカラー鋼板製のケース４と、このケース４内に収納される機器類（図示略）とを有する。
【００２３】
前記ケース４は、外周側の４つの側面板と、背面板７と、フロントカバー６とを有する。４つの側面板は、上面板８（第１壁面）と、上面板８の左端に直角に連なる左側板９（第２壁面）と、上面板８の右端に直角に連なる右側板１０（第２壁面）と、底面板１１とを含む。以下の説明において、図２に図示の前後左右を前後左右として説明する。
【００２４】
ケース４の上面板８の左側部位と右側部位には、ケース４の内部に収納する機器類のうちの所定の機器を取付ける為の取付け金具１２，１３が前方へ突出状に設けられている。
【００２５】
ケース４の前端部には、外側へ直角に折曲されたフランジ部１１が形成されている。このフランジ部１１の角部以外のストレート部には、二重に折り返したハゼ折り部１１ａが形成されている。そのハゼ折り部１１ａの端部には段差１１ｂが形成されている。
【００２６】
図２〜図９に示すように、この給湯器取付け部材５は、上面板８に取付けられる第１部材２１と、左側板９に取付けられる第２部材（図示略）と、右側板１０に取付けられる第２部材２２と、底面板１１に取付けられる第３部材２３とを備えている。左側板９に取付ける第２部材と、右側板１０に取付ける第２部材２２は、左右対称のものであるので、右側板１０に取付ける第２部材２２を例にして説明する。
【００２７】
第１部材２１は、鉛直のフランジ状の主板部２１ａと、この主板部２１ａの内端部から直角に前方へ折曲されて上面板８に当接状に取付けられる帯状の取付板部２１ｂとを備え、断面Ｌ形に形成されている。主板部２１ａの左右の端部は、左側板９及び右側板１０よりも僅かに外側へ延びている。取付板部２１ｂの左端部は、左側板９から所定距離右方へ離隔した位置にあり、取付板部２１ｂの右端部は、右側板１０から所定距離左方へ離隔した位置にある。
【００２８】
主板部２１ａには、給湯器１を前記扉内ケース３に取付ける為の複数のビス穴２４が形成されている。取付板部２１ｂは、４つのビス２５で上面板８に固定されている。
主板部２１ａの左右の両端部には、第１部材２１の取付け後に第２部材２２を上面板８と右側板１０とに直交する平面内で回動させつつ、後述する係合部２８と係止部２７を係合させる際にガイドとなるガイド部２６が形成されている。
【００２９】
前記ガイド部２６は、取付板部２１ｂの端部よりも外側に離隔した位置であって、上面板８からケース外側方向へ離隔した位置に形成され、主板部２１ａから取付板部２１ｂと同じ側（前方）へ取付板部２１ｂと平行に前方に起立している。ガイド部２６の板厚方向は左右方向であり、ガイド部２６は所定の上下幅を有し前後方向に細長い矩形状に形成されている。
【００３０】
取付板部２１ｂの左右の両端部には、上方へ起立した係止部２７であって板厚方向を左右方向に向けた係止部２７が夫々形成されている。左側の係止部２７は左側のガイド部２６から右方へ所定距離おいた位置に形成され、右側の係止部２７は右側のガイド部２６から左方へ所定距離おいた位置に形成されている。
【００３１】
図２〜図９に示すように、第２部材２２は、上面板８に直角に連なる右側板１０に当接される帯状の当接板部２２ａと、この当接板部２２ａの上端部から直角状に左方へ折曲されて上面板８の上面に係合する係合板部２２ｂと、当接板部２２ａの下端部から直角状に折曲されて底面板１１の下面に係合する下側係合板部２２ｃと、当接板部２２ａの後端からケース外側へ直角に折曲した鍔板部２２ｄを備えている。
【００３２】
上記の係合板部２２ｂには、第２部材２２を取付け後の状態で係止部２７と係合する係合部２８が形成されると共に、第２部材２２を図７に示す回動方向Ｍへ回動させつつ係合部２８と係止部２７を係合させる際に係止部２７を通過させる且つ係合部２８に隣接した第１の切欠部２９が形成され、ビス穴３０も形成されている。この第１の切欠部２９は、前方側ほど広幅の台形状に形成されている。但し、第１の切欠部２９は、台形状の形状に限るものではなく、矩形状の形状でもよく、係止部２７が通過可能であれば穴でもよい。
尚、第２部材２２の上下の係合板部２２ｂ，２２ｃは、係合部２８と第１の切欠き部２９とビス穴３０を含めて上下に対称に形成されている。
【００３３】
当接板部２２ａには、第２部材２２を回動させつつ係合部２８と係止部２７を係合させる際にケース２の右側板１０側のフランジ部１１の段差部１１ｂを通過させる第２の切欠部３１が形成されている（図５参照）。この第２の切欠部３１は、係合部２８が係止部２７に接近する頃にフランジ部１１の段差部１１ｂに対応する当接板部２２ａの前端側部位に細長い台形状に形成されている。
【００３４】
図７に示すように、第２部材２２をフランジ部１１とガイド部２６間の隙間Ｇからガイド部２６の内側へ導入可能にするため、フランジ部１１とガイド部２６間の隙間Ｇは、鍔板部２２ｄの幅よりも大きく設定されている。
【００３５】
以上説明した給湯器１の作用、効果について説明する。
給湯器１を組み立てる際には、組立ライン上にケース４を前面側を上方に向けた仰向け姿勢に寝せた状態で、ケース４内に機器類を取付けつつ、ケース４の前端近傍部の外面側に給湯器取付部材５を取付けていく。
給湯器取付部材５の取付けの際、最初に、第１部材２１を４つのビス２５で上面板８に固定すると共に、第４部材２３を２つのビス３２で底面板１１に固定する。
【００３６】
次に、図７に示すように、第２部材２２を約３０°〜４５°ほど右側板１０に対して傾斜姿勢にした状態で、第２部材２２を後方（背面板７側）へ移動させ、第２部材２２の上部をフランジ部１１とガイド部２６の間の隙間Ｇからガイド部２６の内側へ導入し、係合板部２２ｂを上面板８に対向させて第２部材２２を下方（底面板１１側）へ移動させつつ、当接板部２２ａが右側板１０に接近するように上面板８と右側板１０に直交する水平平面内で回動させ、係合板部２２ｂを上面板８に当接させると、係止部２７が第１の切欠部２９に導入され、当接板部２２ａが右側板１０に当接状態となり、係合部２８が係止部２７に係合状態となり、下側係合板部２２ｃが底面板１１に当接する。尚、上側の係合板部２２ｂのビス穴は使用しない。
【００３７】
その状態で、下側係合板部２２ｃのビス穴３０にビス３３をネジ込んで、下側係合板部２２ｃを底面板１１に固定すると、第２部材２２の取付けが完了する。尚、左側の第２部材も上記と同様にして左側板９と上面板８と底面板１１に取付ける。
【００３８】
このように、第１部材２１の取付け後に第２部材２２を上面板８及び右側板１０と直交する平面内で回動させつつ係合部２８を係止部２７に係合させる際に、ガイド部２６で第２部材２２をガイドしながら、目視することなく係合部２８を係止部２７に係合させることができるから、第２部材２２の取付けを容易に能率的に行うことができる。
また、係合部２８を係止部２７に係合させる構造としたので、ビス止めが不要となり、目視しにくい部位でのビス止めの作業を省略することができる。
【００３９】
第２部材２２の当接板部２２ａには、第２部材２２を回動させつつ係合部２８を係止部２７に係合させる際にフランジ部１１の段差部１１ｂを通過させる第２の切欠部３１を形成したので、当接板部２２ａがフランジ部１１の段差部１１ｂと緩衝することなく円滑に回動可能である。
【００４０】
ケース２のフランジ部１１とガイド部２６間の隙間Ｇは鍔板部２２ｄの幅よりも大きく設定してあるため、第２部材２２を上記の隙間Ｇからガイド部２６の内側へ導入してガイド部２６でガイドしながら回動させることができる。
【００４１】
前記実施例は一例を示すものであり、当業者であれば、本発明の趣旨を逸脱することなく、前記実施例に種々の変更を付加した形態で実施可能であり、本発明はそのような変更形態も包含するものである。
【符号の説明】
【００４２】
１        給湯器
４        ケース
５        給湯器取付部材
６        フロントカバー
８        上面板（第１壁面）
１０      右側板（第２壁面）
１１      フランジ部
１１ｂ    段差部
２１      第１部材
２１ａ    主板部
２１ｂ    取付板部
２２      第２部材
２２ａ    当接板部
２２ｂ    係合板部
２２ｄ    鍔板部
２６      ガイド部
２７      係止部
２８      係合部
２９      第１の切欠部
３１      第２の切欠部
【図１】
2018080893.tif 000003
【図２】
2018080893.tif 000004
【図３】
2018080893.tif 000005
【図４】
2018080893.tif 000006
【図５】
2018080893.tif 000007
【図６】
2018080893.tif 000008
【図７】
2018080893.tif 000009
【図８】
2018080893.tif 000010
【図９】
2018080893.tif 000011